(57)【要約】【課題】  眼の撮影画像を好適に得ることができる細隙鏡顕微鏡を提供する。【解決手段】  細隙鏡顕微鏡は、眼を照明する照明光源を持つ照明光学系と、照明光源で照明された被検者眼を観察する観察光学系と、照明光源で照明された眼を撮影する撮像素子を持つ撮影光学系と、照明光学系又は撮影光学系の光路中に挿脱可能に設けられるフィルタと、光路中に置かれたフィルタを検知するフィルタ検知部と、フィルタ検知部によるフィルタの検知信号に応じて、撮像素子の各画素から出力される信号のゲインを調整するゲイン調整手段と、を備える。【選択図】      図２
2014012036.tif 000002
【特許請求の範囲】
【請求項１】
被検者眼を照明する照明光源を持つ照明光学系と、
該照明光源で照明された被検者眼を観察する観察光学系と、
前記照明光源で照明された被検者眼を撮影する撮像素子を持つ撮影光学系と、
を備える細隙鏡顕微鏡において、
前記照明光学系又は前記撮影光学系の光路中に挿脱可能に設けられるフィルタと、
前記光路中に置かれたフィルタを検知するフィルタ検知部と、
該フィルタ検知部による前記フィルタの検知信号に応じて、前記撮像素子の各画素から出力される信号のゲインを調整するゲイン調整手段と、を備えることを特徴とする細隙鏡顕微鏡。
【請求項２】
前記ゲイン調整手段は、前記フィルタを透過した光束による励起光の波長帯域に対応する画素から出力される信号のゲインを増幅させ、前記フィルタで遮光される前記励起光の波長帯域以外の波長帯域に対応する前記画素から出力される信号のゲインを減少させる請求項１に記載の細隙鏡顕微鏡。
【請求項３】
前記フィルタは、可視の青色を透過させるブルーフィルタであり、
前記ゲイン補正手段は、前記撮像素子の緑色の画素から出力される信号のゲインを増幅させ、赤色と青色の画素から出力される信号のゲインを減少させる補正をする請求項２に記載の細隙鏡顕微鏡。
【請求項４】
前記撮像素子で撮影された前記被検者眼の情報を出力する出力手段とを備え、
該出力手段は、前記フィルタ検知部での検知信号に基づく前記フィルタの使用情報を、前記撮像素子で撮像された画像と共に出力させる請求項１〜３のいずれかに記載の細隙鏡顕微鏡。
【請求項５】
前記出力手段は、前記画像及び前記フィルタの情報を電子カルテに出力させる請求項１〜４のいずれかに記載の細隙鏡顕微鏡。
【請求項６】
前記ゲイン調整手段は、前記フィルタを透過した光束の波長帯域に対応する画素から出力される信号のゲインを増幅させ、前記フィルタで遮光される波長帯域に対応する前記画素から出力される信号のゲインを減少させる請求項１に記載の細隙鏡顕微鏡。
【発明の詳細な説明】
【技術分野】
【０００１】
本発明は、被検者眼を観察又は撮影する細隙鏡顕微鏡に関する。
【背景技術】
【０００２】
細隙鏡顕微鏡では、被検者眼の状態を観察するために、各種フィルタが光学系等の光路中に挿脱可能に設けられている。例えば、蛍光剤が点眼された被検者眼の状態を観察するために、青色に波長帯域を持つ青色フィルタが、照明系の光路中に挿脱可能に設けられている（例えば、特許文献１参照）。
【先行技術文献】
【特許文献】
【０００３】
【特許文献１】特開平６−２７７１７９号公報
【発明の概要】
【発明が解決しようとする課題】
【０００４】
照明光学系の光路中にフィルタが配置された状態で、撮像素子を用いて被検者眼を撮影する場合には、その目的に応じた画像が取得されることが求められる。例えば、可視の青色透過フィルタを介した被検者眼の撮影では、被検者眼の蛍光発光の波長帯域付近が強調された画像が取得されることが求められる。
【０００５】
本発明は上記従来技術の問題点に鑑み、被検者眼の撮影画像を好適に得ることができる細隙鏡顕微鏡を提供することを技術課題とする。
【課題を解決するための手段】
【０００６】
上記課題を解決するために、本発明は以下のような構成を備えることを特徴とする。
【０００７】
（１）  被検者眼を照明する照明光源を持つ照明光学系と、該照明光源で照明された被検者眼を観察する観察光学系と、前記照明光源で照明された被検者眼を撮影する撮像素子を持つ撮影光学系と、を備える細隙鏡顕微鏡において、前記照明光学系又は前記撮影光学系の光路中に挿脱可能に設けられるフィルタと、前記光路中に置かれたフィルタを検知するフィルタ検知部と、該フィルタ検知部による前記フィルタの検知信号に応じて、前記撮像素子の各画素から出力される信号のゲインを調整するゲイン調整手段と、を備えることを特徴とする。
（２）  前記ゲイン調整手段は、前記フィルタを透過した光束による励起光の波長帯域に対応する画素から出力される信号のゲインを増幅させ、前記フィルタで遮光される前記励起光の波長帯域以外の波長帯域に対応する前記画素から出力される信号のゲインを減少させる（１）に記載の細隙鏡顕微鏡。
（３）  前記フィルタは、可視の青色を透過させるブルーフィルタであり、前記ゲイン補正手段は、前記撮像素子の緑色の画素から出力される信号のゲインを増幅させ、赤色と青色の画素から出力される信号のゲインを減少させる補正をする（２）に記載の細隙鏡顕微鏡。
（４）  前記撮像素子で撮影された前記被検者眼の情報を出力する出力手段とを備え、該出力手段は、前記フィルタ検知部での検知信号に基づく前記フィルタの使用情報を、前記撮像素子で撮像された画像と共に出力させる（１）〜（３）のいずれかに記載の細隙鏡顕微鏡。
（５）  前記出力手段は、前記画像及び前記フィルタの情報を電子カルテに出力させる（１）〜（４）のいずれかに記載の細隙鏡顕微鏡。
（６）  前記ゲイン調整手段は、前記フィルタを透過した光束の波長帯域に対応する画素から出力される信号のゲインを増幅させ、前記フィルタで遮光される波長帯域に対応する前記画素から出力される信号のゲインを減少させる（１）に記載の細隙鏡顕微鏡。
【発明の効果】
【０００８】
本発明によれば、細隙鏡顕微鏡において、被検者眼の撮影画像を好適に得ることができる。
【発明を実施するための形態】
【０００９】
以下、本発明に係る実施形態を図面に基づき説明する。ここでは眼科装置として細隙鏡顕微鏡（以下、スリットランプと記す）を例に挙げて説明する。図１は、スリットランプの外観の説明図である。図２は、スリットランプの光学系の説明図である。図３は、図１のスリットランプを軸Ａ−Ａで切断して見たときの断面図である。図４は本体１００ｂの内部構成の斜視図である。
【００１０】
スリットランプ１００は、顔支持ユニット１００ａと本体１００ｂに大別される。被検者側に設けられた顔支持ユニット１００ａは、被検者の額を支持する額当て１１と、顎を支持する顎台１２を持ち、２本の支柱１３を介してテーブル１に固定されている。本体１００ｂは、テーブル１に対して上下方向の高さ位置が調整される可動部２００ｂと、可動部２００ｂを支持する固定部２００ａを持つ。可動部２００ｂの筐体内には、照明ユニット６０、顕微鏡ユニット（観察・撮影ユニット）７０、スリットランプ１００全体の動作制御をする制御部８５が設けられる。固定部２００ａの筐体内には、眼Ｅに対して可動部２００ｂを上下移動させるための上下移動機構２００が設けられる。
【００１１】
照明ユニット６０は、可視光源６１、コンデンサレンズ６２、可変アパーチャ６３、可変スリット６４、投影レンズ６５、プリズムミラー６６を備え、被検者眼Ｅの観察部位を照明する。光源６１からの光束（可視光）は、コンデンサレンズ６２を透過して可変アパーチャ６３及び可変スリット６４を照明する。アパーチャ６３及びスリット６４を通過した光束は、投影レンズ６５を透過してプリズムミラー６６で反射され、眼Ｅに投射される。なお可視光源６１には、ハロゲンランプ、ＬＥＤ等周知のものが使用される。
【００１２】
照明ユニット６０のスリット６４と投影レンズ６５の間には、ブルーフィルタ（青色の透過フィルタ）９０が挿脱可能に設けられる。ブルーフィルタ９０には、例えば４７０〜５００ｎｍの可視の青色を透過するものが使用される。特定の波長帯域（青色）を透過するフィルタが使用されることで、励起光により患部が強調された画像が取得される。また、ブルーフィルタ９０が光路中に挿入されたとき、フィルタ９０の挿入を検知可能な位置には、位置センサー９１が設けられる。例えば、センサー９１にはフォトインタラプタ等の光学素子、スイッチ等の周知の位置検出素子が用いられる。なお、ブルーフィルタ９０は照明光学系の光路中に配置されれば良く、光路中の図２に示される位置以外に配置されても良い。
【００１３】
顕微鏡ユニット７０は、対物レンズ７１、変倍光学系７２、ハーフミラー７３、結像レンズ７４、正立プリズム７５、視野絞り７６、接眼レンズ７７を持つ。眼Ｅで反射された光束は、対物レンズ７１、変倍光学系７２、ハーフミラー７３、結像レンズ７４を透過して、正立プリズム７５で反射される。プリズム７５で反射された光束は、視野絞り７６、接眼レンズ７７を透過して、検者の眼Ｆに入射する。
【００１４】
ハーフミラー７３で反射された光束は、リレーレンズ７８を透過してカメラ（撮像素子）８０に入射する。なお撮像素子８０には、可視光に感度を持つＣＣＤを備えた周知のデジタルカメラ等が使用される。制御部８５は後述するスイッチ２２ａからの指令信号に基づき撮像素子８０の撮影画像を取り込み、モニタ８７に表示させる。
【００１５】
固定部２００ａの上下移動機構２００は、テーブル１に固定されたベース２１と、ベース２１に対してスライド可能に設けられた筐体２１ａと、筐体２１ａ内に設置されその一部が筐体２１ａの図示を略す開口を介して外側に現れる操作部材であるジョイスティック２２と、筐体２１ａ内に設置された駆動部５０を備える。
【００１６】
ジョイスティック２２は、検者に把持されて回転操作されるグリップ（回転部）２２ａと、撮影（画像取得）のトリガ信号を入力するスイッチ２２ｂと、ジョイスティック２２を略鉛直方向（Ｙ方向）に挿通するシャフト（支持部材）２２ｃと、グリップ２２ａの回転角度を検知する周知のロータリーエンコーダ２２ｄから構成される。
【００１７】
駆動部５０は、筐体２１ａに固定され、回転軸Ｌ１を中心として回転可能に設けられた中空のブラシレスモータ（以下、モータと記す）５１と、モータ５１の回転を検知する駆動検出部であるセンサー５６を持つ。中空のブラシレスモータ５１の中空部には、雌ネジ５１ｂが所定のピッチに形成されており、雌ネジ５１ｂは、後述する可動部２００ｂ側の軸５２（雄ネジ５２ａ）と結合されている。モータ５１の回転に伴って雌ネジ５１ｂが回転すると、軸５２（雄ネジ５２ａ）が雌ネジ５１ｂを介して垂直（上下）方向に移動される。そして、雄ネジ５２ａの上下動に連動して可動部２００ｂの上下方向の高さが変えられる。
【００１８】
可動部２００ｂは、ベース２１に対して略鉛直に延びるベースシャフト２３と、照明ユニット６０を支持するアーム２４と、顕微鏡ユニット７０を支持するアーム２５を備える。なおアーム２４とアーム２５は中心軸Ｂを中心に個々に水平方向に回転可能に支持されており、これにより照明ユニット６０と顕微鏡ユニット７０が中心軸Ｂを中心に個別に回転される。
【００１９】
また可動部２００ｂの下側には、モータ５１の雌ネジ５１ｂに挿通される軸５２が固定される。軸５２の先端には、所定のピッチを持つ送りネジ（雄ネジ）５２ａが形成され、雌ネジ５１ｂに嵌合される。雌ネジ５１ｂの回転が雄ネジ５２ａに伝達されることで、可動部２００ｂが所定のステップで上下に移動される。
【００２０】
なお雄ネジ５２ａは、可動部２００ｂが移動範囲の上限又は下限に達したときに、雌ネジ５１ｂから外れないように、軸５２上の所定範囲に形成されていれば良い。
【００２１】
なお雌ネジ５１ｂ及び雄ネジ５２ａのリード角は、可動部１００ｂの上下動が停止された時に、可動部２００ｂが自重で押し下げられず、位置を保持する摩擦力を奏する幅に形成される。またリード角は、可動部２００ｂの最小の上下可動幅を考慮して決定される。つまりリード角が狭いとより細かいステップで可動部２００ｂの上下位置合わせが行われる。一方でリード角が狭くなると、可動部２００ｂの上下動に時間が掛かるデメリットが生じる。以上の条件を考慮してリード角が決定されれば良い。更に、雌ネジ５１ｂ及び雄ネジ５２ａのリード角は、材質やグリスの状態等を考慮して決定されることが好ましい。
【００２２】
また本実施形態では、本体部１００ａに、可動部２００ｂの上下動を安定させるための支持部が設けられている。例えば支持部は、固定部２００ａに固定された円筒部２３１と、円筒部２３１の内部に形成された中空を相通する軸２３２であって、可動部２００ｂ側に固定される軸２３２との組み合わせで構成される。
【００２３】
可動部２００ｂが上下動すると、可動部２００ｂに固定された軸２３２が、円筒部２３１の内壁に沿って上下方向に移動する。これにより、可動部２００ｂが複数の支持部材で保持される状態となり、上下動の動作がより安定する。
【００２４】
更に本実施形態では、本体部１００ａに、固定部２００ａに対する可動部２００ｂの上下位置を検知するための位置検出部が設けられている。例えば、位置検出部は、可動部２００ｂ側に固定されて可動部２００ｂと連動して上下移動される板部５４と、固定部２００ａ側に固定され板部５４が通過する開口を持つ３つのセンサー５５ａ〜５５ｃとから構成される。
【００２５】
可動部２００ｂが上下動され、板部５４が３つのセンサー５５ａ〜５５ｃ全てによって検知されると、制御部８５によって可動部２００ｂが下限に有ることが検知される。板部５４がセンサー５５ａのみで検知されると可動部２００ｂが上限にあることが検知される。また本実施形態では、板部５４がセンサー５５ａ及び５５ｂで検知され、センサー５５ｃで検知されない場合は、本体部１００ａが可動範囲の中間位置（図示を略すアイレベルマーカの位置）にあるとする。
【００２６】
つまり本体部１００ａの初期位置合わせのために、図示なきスイッチが押されると、モータ５０の駆動により、板部５４がセンサー５５ａ及び５５ｂで検知されるまで可動部２００ｂが上下動され、初期位置が自動的に簡単に合わせられる。
なおセンサーには、フォトインタラプタ等の光センサー、磁気センサー、機械式センサー等の周知のセンサーが用いられる。
【００２７】
以上の構成により、検者の操作でジョイスティック２２が水平方向（前後左右方向）にスライドされると、周知のスライド機構によって、眼Ｅに対して本体１００ｂが水平方向に移動する。一方、グリップ２２ａがシャフト２２ｂを軸として水平方向に回転されると、エンコーダ２２ｄによってその回転方向及び回転速度等が検知される。制御部８５はエンコーダ２２ｄからの出力信号に基づき、後述するメモリ８１に記憶されたグリップ２２ｄの回転量とモータ５１（ロータ５７）の回転量の対応関係に基づき、モータ５１（ロータ５７）の回転を制御する。制御部８５の駆動制御でロータ５７が回転すると、中空部５１ａに形成された雌ネジ５１ｂに沿って雄ネジ５２ａが上下移動され、可動部２００ｂ全体が上下に移動される。
【００２８】
制御部８５は装置全体の駆動制御をする。制御部８５には上述のグリップ２２ａ、スイッチ２２ｂ、エンコーダ２２ｄ、センサー５５ａ〜５５ｃ、モータ５１、センサー５６、モニタ８７、センサー９１の他、メモリ８１等が接続される。
【００２９】
制御部８５は、ジョイスティック２２からの入力信号に基づき直接モータ５１の回転量及び回転方向を制御する。また制御部８５はセンサー５６で検知されたモータ５１の回転量や回転速度に基づき、モータ５１の回転状態を検知して、ジョイスティック２２からの入力信号に基づき正しく動作させる制御をする。
【００３０】
また制御部８５は、センサー９１からの信号に応じて、フィルタ９０が照明ユニット６０の光路中に配置されたことを認識する。また制御部８５はフィルタ９０が検知された時に、撮影モードに切換えられたとして、撮像素子８０のゲインを調整する。ここでは、通常撮影モードから蛍光撮影モードに切換えられたと認識される。
【００３１】
通常のフィルタを介さない撮影では、眼Ｅは広い波長帯域を持つ照明光で照明される。一方、フィルタを介した撮影では、照明光の波長帯域が制限されてしまい、光量不足となり鮮明な画像を得ることが困難になる場合がある。そこで従来技術では、フィルタを介した撮影では照明光量を増加させて、光量を確保する方法が提案されている。しかし、通常のフィルタは波長帯域の中心波長の透過光量を最大として、中心波長から離れるに連れて透過光量が次第に減衰する特性を持つ。その為、照明光量を増加させると、撮影に必要とされる波長帯域を持つ光束以外の、ノイズ成分の光束も増加されることになり、撮影画像を鮮明に得ることには繋がらない。
【００３２】
一方、撮影条件に応じて、検者が撮像素子の画素のゲインをマニュアルで調節する方法も考えられるが、撮影条件の変更の都度、設定をし直す必要があり、検者にとって手間が掛かることが負担になる。また、撮像素子の画素のゲイン設定のし忘れがあると、撮影の失敗に繋がるおそれが有る。同様に、撮像素子で取得された撮影画像の画質を、パソコン等の画像処理装置を用いて調整することも考えられるが、この場合も検者の手間となる。
【００３３】
そこで本発明は、フィルタを介して撮影を行う際に、フィルタを透過した波長帯域の光束に対応する波長帯域（色）の撮像素子の画素のゲインを増加させる。又はフィルタを透過した波長帯域の光束による励起光に対応する波長帯域（色）の撮像素子の画素のゲインを増加させる。一方、フィルタで遮光される波長帯域の光束に対応する波長帯域（色）の撮像素子の画素のゲインを減少させる。又は、励起光の波長帯域（色）以外の波長帯域（色）に対応する撮像素子の画素のゲインを減少させる。
【００３４】
つまり、ここではフィルタ９０の青色光束によって励起される緑色の波長帯域の光束に対応する緑色の画素８０ｂのゲインが増加され、赤色の画素８０ａと青色の画素８０ｃのゲインを減少させるようにゲイン調整がされる。このようにすると、ノイズ光を抑え、フィルタの透過特性に応じた撮影画像を得ることができる。またフィルタ検知で、自動的に撮像素子のゲイン調整がされることで、検者の設定の手間を省き、撮影不備の発生を抑えることができる。
【００３５】
またパソコン上で行われるゲイン補正や色補正は、予め撮像素子で取得されたノイズ成分が含まれる画像を対象とするのに対して、本発明は撮像素子による画像の取得時に、ゲイン及び色補正が行われる。そのため、予めノイズ成分が取り除かれた画像が取得されるので、パソコン等による補正と比べて画質が向上される。
【００３６】
次に、以上のような細隙鏡顕微鏡を用いて、フィルタを設置した状態で被検者眼の撮影を行う場合の動作を説明する。まず、本体１００ｂの図示を略すスリットからフィルタ９０が挿入され、患者眼に点眼剤（蛍光剤）が点眼される。制御部８５によってセンサー９１の検知信号が検知されると、蛍光撮影モードが認識される。制御部８５は、撮像素子８０のゲインを調節する。ここでは、緑色の画素８０ｂのゲインが高く設定され、赤色の画素８０ａと青色の画素８０ｃのゲインが低く設定される。
【００３７】
撮影準備が完了して、光源６１が点灯されると、光源６１からの光束が、コンデンサレンズ６２から投影レンズ６５を経て、フィルタ９０に入射される。フィルタ９０は光源６１から照射された光束のうち、青色の所定帯域の波長成分のみを透過させる。フィルタ９０を透過した青色成分の光束は、プリズムミラー６６を経て、被検者眼Ｅを照明する。蛍光剤を点眼された被検者眼Ｅからの緑色の励起光は、対物レンズ７１を経てハーフミラー７３で反射される。その反射光は、リレーレンズ７８を経て撮像素子８０で撮像される。
【００３８】
この時、撮像素子８０の緑色の画素８０ｂのゲインのみが増加されるので、緑色（蛍光）の撮影画像がより鮮明な状態で取得される。撮像素子３８で取得された画像はメモリ８１に記憶される。この時、センサー９１の検知信号に基づくフィルタ９０の使用情報も共に記憶されるとする。
なお照明ユニット６０の光路から、フィルタ９０が取り除かれると、センサー９１からの検知信号に応じて、制御部８５は撮影モードが通常撮影に戻されたと認識して、撮像素子８０のゲイン調整を戻す処理をする。
【００３９】
なお、撮像素子８０のゲイン調整と共に、光源６１の照明光量が増加されても良い。本発明では、フィルタを透過した波長帯域の、撮像素子８０の画素のゲインのみが増加されるので、ノイズ光の影響を抑えつつ、より鮮明な画像を得ることができる。
【００４０】
なおメモリ８１に記憶された撮影画像は、撮影情報と共に出力される。例えば、図示を略す外部記憶媒体やＬＡＮ等を介して、メモリ８１の撮影画像と、センサー９１での検知結果に基づくフィルタの使用情報が外部出力される。この場合、撮影画像８３に蛍光撮影の情報が付与されるようになり、検者による撮影画像の管理が容易になる。例えば、フィルタの使用情報として、撮影において青色フィルタが使用されたことを示す情報、青色フィルタを用いて撮影された撮影画像であることを示す情報が挙げられ、撮影画像ともに出力される。なお、パソコンを介して電子カルテ上に出力される場合には、撮影画像と、フィルタの使用情報とが所定の表示欄に簡単に表示される。また電子カルテによる撮影情報の集計がより正確に行われるようになり、検者の使い勝手が向上される。
【００４１】
なお上記では、蛍光、染色反応観察等に使用される青色のフィルタを用いる例を示した。これ以外にも、細隙鏡顕微鏡に使用される様々な種類のフィルタに対して、本発明の構成が適用されることで、撮像素子を容易に撮影に適した設定にでき、鮮明な画像を取得できるようになる。例えば、照明光学系の光路には、視神経繊維の異常を検査する際に使用する無赤色フィルタ（グリーンフィルタ）等が配置される。観察・撮影光学系の光路には、ブルーフィルタとの組み合わせにより、励起用ブルーの光を抑え、蛍光像を更に見やすくするためのイエローフィルタ等が配置される。
【００４２】
なお、フィルタが複数配置されている場合、検知部は、フィルタの有無の他、どのフィルタが光路中に配置され撮影に使用されたかを判別できることが好ましい。この場合、撮影画像と、どのフィルタが使用されたかを含むフィルタ使用情報が外部出力される。なお、複数のフィルタから１つのフィルタを判別する場合、例えば、複数のフィルタが配置された回転ディスクの位置を検出することにより、フィルタの種類を判別できる。
【００４３】
以上のような制御が行われることで、ノイズ光の影響が抑制された鮮明な画像を得ることができる。また撮影画像と共にフィルタ検知の情報が出力されることで、撮影画像の管理等が容易になる。更には、顕微鏡ユニット７０を介した肉眼観察では見逃してしまいそうな弱い（小さい）蛍光部分であったとしても、撮像素子８０で取得された画像のゲインが適切に調節され、パソコン等のモニタ上に強調表示されることで、病態をより正確に把握の手助けとなる。
【００４４】
なおエキサイタフィルタとバリアフィルタの組み合わせ等、一度の撮影に複数のフィルタが用いられる場合には、少なくとも一方のフィルタの検知結果に基づいて、撮像素子のゲイン調整が行われれば良い。
【００４５】
なお上記の構成では、フィルタ９０の挿入を検知するための位置センサー９１を設ける例を示した。これ以外にもフィルタ９０の挿入は、撮像素子８０の撮影画像に基づき検知されても良い。つまり、各フィルタ９０挿入時の撮像素子８０の画素の輝度分布の特徴を予めメモリ８１に記憶させておき、位置センサー９１を設けずに撮像素子８０からの情報によって各種フィルタの配置が検知されるようにしても良い。
【図面の簡単な説明】
【００４６】
【図１】スリットランプの外観の説明図である。
【図２】スリットランプの光学系の説明図である。
【図３】スリットランプの断面図である。
【図４】スリットランプ本体の内部構成の斜視図である。
【符号の説明】
【００４７】
６０  照明ユニット
７０  顕微鏡ユニット
９０  フィルタ
９１  センサー
８０  撮像素子
８０ａ  赤色の画素
８０ｂ  緑色の画素
８０ｃ  青色の画素
８５  制御部
１００  スリットランプ
【図１】
2014012036.tif 000003
【図２】
2014012036.tif 000004
【図３】
2014012036.tif 000005
【図４】
2014012036.tif 000006